(57)【特許請求の範囲】
【請求項１】
食品の導入手段と食品の定量手段と定量された食品のほぐし手段とを備え惣菜を充填する装置であって、
前記導入手段が、ホッパーと、ホッパー底部から定量手段の入口まで水平に延設されたスクリューコンベアとを備え、
前記定量手段が、側部に設けられた入口ポートと下部に設けられた出口ポートとを備えたバルブチャンバーを構成するケーシングと、該ケーシングのバルブチャンバー内周に沿って回転可能に配置された、シリンダ室を有する回転バルブと、該シリンダ室内を進退しうるコマと、前記回転バルブを回転させる回転手段とを備えた食品の定量充填に用いられる回転型定量バルブであり、
前記ほぐし手段が回転羽根と該回転羽根を回転させる駆動機構を備え、
前記定量手段から排出され落下してくる食品を、ほぐし手段の回転する回転羽根によりほぐし、食品をふんわりと充填しうるように構成されていることを特徴とする定量ソフト充填装置。
【請求項２】
回転羽根が、水平に軸支された回転軸を有することを特徴とする請求項１記載の定量ソフト充填装置。
【請求項３】
回転羽根が、回転軸から立設角度及び立設位置を異にして突出した複数個の直方体状突出片を有することを特徴とする請求項１又は２記載の定量ソフト充填装置。
【請求項４】
ほぐし手段が、飛散防止フードを有することを特徴とする請求項１〜３のいずれか記載の定量ソフト充填装置。
【請求項５】
ほぐし手段が、回転羽根下方にシャッターを有することを特徴とする請求項１〜４のいずれか記載の定量ソフト充填装置。
【請求項６】
容器搬送用コンベアと、コンベア間欠駆動機構とを有する容器搬送手段を備えたことを特徴とする請求項１〜５のいずれか記載の定量ソフト充填装置。
【請求項７】
請求項１〜６のいずれか記載の定量ソフト充填装置を用いる惣菜の定量ソフト充填方法であって、回転羽根の回転数が、３０００〜４０００ｒｐｍであることを特徴とする定量ソフト充填方法。
【請求項８】
請求項１〜６のいずれか記載の定量ソフト充填装置を用いる惣菜の定量ソフト充填方法であって、ほぐし手段により体積を１．５〜３倍にすることを特徴とする定量ソフト充填方法。
【請求項９】
惣菜が、卯の花、白和え又はひじきであることを特徴とする請求項７又は８記載の定量ソフト充填方法。
【発明の詳細な説明】
【技術分野】
【０００１】
本発明は、卯の花や白和え等の食品を包装容器に一定量ふんわりと充填しうる定量ソフト充填装置や、該定量ソフト充填装置を用いた定量ソフト充填方法に関する。
【背景技術】
【０００２】
従来、食品等を工場で製造する際に、原料、半製品、食品等をパイプ等の流路により移送し、容器への定量充填が行われており、この流路や流速をコントロールしたり、定量充填するため、回転型充填バルブが用いられていた。この回転型充填バルブは、入口と出口とを備えたバルブチャンバーを構成するケーシングと、該ケーシングのバルブチャンバー内周に沿って回転可能に配置された回転バルブと、該回転バルブを回転させる回転手段とを通常備えている（例えば、特許文献１〜５参照）。
【０００３】
一方、食品によっては、手で盛ったようにふんわりと容器に収容されるように工夫した技術として、内容物充填容器が搬入・搬出される処理ステーションを有する機械ボディと、処理ステーションに搬入された容器の上方に配置されている昇降体と、同容器内に対し下部を進退させうるように昇降体に垂下状に取付けられているほぐし部材と、昇降体の下降にともない同容器内に進入させられたほぐし部材によって同容器内の内容物の中央部が盛り上がった状態になるようにほぐし部材を作動させる作動手段とを備えている食品製造機械（例えば、特許文献６参照）や、また、炒め物の調理の際、塊状となるのを防ぐため、調理材料を収容する筒状の調理容器を備え、この調理容器を加熱しながら軸心廻りに回転させることで、調理容器の内周面で調理材料を炒めるようにした自動炒め装置において、前記調理容器の内周面に、調理容器軸心方向に関して間隔を有し且つ調理容器回転方向前方側に指向させて設けられた複数の攪拌杆を備えた自動炒め装置（例えば、特許文献７参照）が知られている。
【０００４】
【特許文献１】特許第３０３０４９２号公報
【特許文献２】特開２０００−３３５５０３号公報
【特許文献３】特開２００１−８８８０６号公報
【特許文献４】特開平１０−２３６４３５号公報
【特許文献５】特開平８−３０１３９１号公報
【特許文献６】特開２０００−２１９２０２号公報
【特許文献７】特開平６−３１１９２８号公報
【発明の開示】
【発明が解決しようとする課題】
【０００５】
従来の回転型充填バルブを用いて、惣菜等の食品を容器へ定量充填する場合、回転型充填バルブに供給された惣菜等の食品が、ピストンにより押圧されて出口から包装容器に充填されると、その間に惣菜等の食品は硬くしまった状態で包装容器に収容される。卯の花、白和え、ひじき等の惣菜がこのように硬い状態では味も半減し、外観上、消費者の購買力にも影響することになる。そして、従来、回転型充填バルブを用いる装置では、出口より移送されてきた惣菜等の食品を包装容器に充填する際、その容積を高め、ふんわり感を持たせる盛り付けは、手作業でなければできなかった。本発明の課題は、従来、人の手により盛りつけしていたように、卯の花（おから）、白和え、ひじき等の惣菜を、食欲をそそるようにふんわりと盛りつけることができる、食品の付加価値を高め、大量生産を可能とする定量ソフト充填装置や、該定量ソフト充填装置を用いた定量ソフト充填方法を提供することにある。
【課題を解決するための手段】
【０００６】
本発明者らは、機械的に惣菜をふんわりと盛りつける方法について鋭意研究し、ほぐして食品の容積を高める従来技術として提案されている、食品が収容されている容器内に、例えば、昇降体に取り付けられているほぐし部材を下降させて盛り上がるように作動させる手段や、容器内周面に設けられた複数の撹拌杆を用いることによりほぐす手段では、高速定量充填することができない。そこで発想を切り替えて、容器に惣菜等が充填される前にほぐすことを基本コンセプトとし、回転型充填バルブを用いて定量した後、回転型充填バルブの出口から包装容器に供給される卯の花を、回転型充填バルブの出口と包装容器の間に設けた撹拌羽根でほぐすことで、ふんわりと盛りつけることができることを見い出し、本発明を完成するに至った。
【０００７】
すなわち本発明は、（１）食品の導入手段と食品の定量手段と定量された食品のほぐし手段とを備え惣菜を充填する装置であって、前記導入手段が、ホッパーと、ホッパー底部から定量手段の入口まで水平に延設されたスクリューコンベアとを備え、前記定量手段が、側部に設けられた入口ポートと下部に設けられた出口ポートとを備えたバルブチャンバーを構成するケーシングと、該ケーシングのバルブチャンバー内周に沿って回転可能に配置された、シリンダ室を有する回転バルブと、該シリンダ室内を進退しうるコマと、前記回転バルブを回転させる回転手段とを備えた食品の定量充填に用いられる回転型定量バルブであり、前記ほぐし手段が回転羽根と該回転羽根を回転させる駆動機構を備え、前記定量手段から排出され落下してくる食品を、ほぐし手段の回転する回転羽根によりほぐし、食品をふんわりと充填しうるように構成されていることを特徴とする定量ソフト充填装置に関する。
【０００８】
また本発明は、（２）回転羽根が、水平に軸支された回転軸を有することを特徴とする上記（１）記載の定量ソフト充填装置や、（３）回転羽根が、回転軸から立設角度及び立設位置を異にして突出した複数個の直方体状突出片を有することを特徴とする上記（１）又は（２）記載の定量ソフト充填装置や、（４）ほぐし手段が、飛散防止フードを有することを特徴とする上記（１）〜（３）のいずれか記載の定量ソフト充填装置や、（５）ほぐし手段が、回転羽根下方にシャッターを有することを特徴とする上記（１）〜（４）のいずれか記載の定量ソフト充填装置や、（６）容器搬送用コンベアと、コンベア間欠駆動機構とを有する容器搬送手段を備えたことを特徴とする上記（１）〜（５）のいずれか記載の定量ソフト充填装置に関する。
【０００９】
さらに本発明は、（７）上記（１）〜（６）のいずれか記載の定量ソフト充填装置を用いる惣菜の定量ソフト充填方法であって、回転羽根の回転数が、３０００〜４０００ｒｐｍであることを特徴とする定量ソフト充填方法や、（８）上記（１）〜（６）のいずれか記載の定量ソフト充填装置を用いる惣菜の定量ソフト充填方法であって、ほぐし手段により体積を１．５〜３倍にすることを特徴とする定量ソフト充填方法や、（９）惣菜が、卯の花、白和え又はひじきであることを特徴とする上記（７）又は（８）記載の定量ソフト充填方法に関する。
【発明の効果】
【００１０】
本発明の定量ソフト充填装置は、人手を要せず、機械化したことにより、卯の花、白和え、ひじき等の惣菜を包装容器にふんわりと盛ることができ、さらに定量性、サニタリー性、大量生産性にもすぐれた効果を奏する。
【発明を実施するための最良の形態】
【００１１】
本発明の定量ソフト充填装置としては、食品の導入手段と食品の定量手段と定量された食品のほぐし手段とを備え惣菜を充填する装置であって、前記導入手段が、ホッパーと、ホッパー底部から定量手段の入口まで水平に延設されたスクリューコンベアとを備え、前記定量手段が、側部に設けられた入口ポートと下部に設けられた出口ポートとを備えたバルブチャンバーを構成するケーシングと、該ケーシングのバルブチャンバー内周に沿って回転可能に配置された、シリンダ室を有する回転バルブと、該シリンダ室内を進退しうるコマと、前記回転バルブを回転させる回転手段とを備えた食品の定量充填に用いられる回転型定量バルブであり、前記ほぐし手段が回転羽根と該回転羽根を回転させる駆動機構を備え、前記定量手段から排出され落下してくる食品を、ほぐし手段の回転する回転羽根によりほぐし、食品をふんわりと充填しうるように構成されている装置であれば特に制限されず、上記食品としては、卯の花（おから）、細かく刻んだほうれんそう、こんにゃくを豆腐とあえた白和え、ひじきの煮物、イカの塩辛、糸もずく等の海藻類、ポテトサラダ等を挙げることができる。
【００１２】
上記食品の定量手段としては、ほぼ一定重量の食品を量るときに、本来ふんわりとした食品を圧縮して一定体積とし、この一定体積にすることでほぼ一定重量とする定量手段を用いる場合、特に本発明のほぐし効果が端的に発揮できるので、食品を圧縮状態とする定量手段を用いることが好ましい。
【００１３】
上記食品の定量充填に用いられる回転型定量バルブとしては、公知の定量充填用回転型充填バルブを含めて用いることができ、バルブチャンバーが互いに直角の位置関係にある入口ポート（側部）と出口ポート（下部）、出口ポートと径方向に相互に対向する位置に押し出しポート（上部）、入口ポートと径方向に相互に対向する位置に空気排出孔とを備え、回転バルブが前記入口ポート又は前記出口ポートに連通可能な径方向に設けられたシリンダ室を有し、該シリンダ室内をシリンダ軸方向に往復動自在なシャトル型のコマを備え、排出ピストンを内蔵しかつ排出ピストンのストロークによりバルブチャンバー内に対し食品を排出させるシリンダが、押し出しポートに連通させられている回転型定量バルブを例示することができる。上記回転型定量バルブとしては回転バルブが球状のボールバルブや回転バルブが円筒状のロータリー（円柱形）バルブを好適に例示することができ、回転手段としては、ロータリーアクチュエーター、サーボモーター等の回転駆動手段を例示することができる。
【００１４】
回転型定量バルブにおいては、コマの両端面を回転バルブの外周面形状に合わせた曲面とするとともに、該コマのシリンダ室内における相対回転を阻止する回転規制手段を設けたものが好ましく、回転規制手段は、例えば、シリンダ室内面に固定され該シリンダ室内面をシリンダ軸方向に沿って一部平面状とする平キーと、該平キーに対応してコマ外周面を一部平面状に切り欠いた切り欠き部とで構成することができ、また、ケーシング側に、コマの少なくともバルブチャンバー出口ポート側への移動を阻止するストッパーを設けたものが好ましい。さらに、一回当たりの充填量を調節可能とするために、例えば、コマを、二つのコマ部材、それらコマ部材を連結する長さ調節ネジとで構成することもできる。
【００１５】
回転型定量バルブは、ケーシングのバルブチャンバーの側周面入口ポートが、別途設けたスクリューコンベアの吐出口に連結されており、シリンダ室の一端が入口ポートに連通した位置でスクリューコンベアにより食品が圧送されると、入口ポートに位置したコマが、空気排出孔からコマ背面の空気をケーシング外に排気しながらシリンダ室内を反対側へ水平に移動し、シリンダ室内に食品が送り込まれて、その位置から回転バルブが９０度回転し、シリンダ室の一端が上部押し出しポートに、他端が下部出口ポートに連通した位置で、排出ピストンを下降させて排出ストロークさせると、排出ピストンの下端がシリンダ室内のコマを押し下げ、シリンダ室内の食品はほぐし手段に送られる。次いで、回転バルブが９０度逆回転し、シリンダ室の一端が入口ポートに連通した位置でスクリューコンベアにより食品が圧送されると、入口ポートに位置したコマが反対側に移動する。この操作を繰り返すことにより定量が行われる。
【００１６】
上記のような回転型定量バルブの少なくとも入口ポートに、付勢手段により、その一端部が回転バルブの周面と強制的に当接させられるように装着されている中空筒状のカッター部材を設けることもできる。中空筒状のカッター部材としては、その一端部が回転バルブの周面と面接触する厚みを有するものが好ましく、また、他端がスプリング等の付勢手段を保持しうる程度の厚みを有するものが好ましい。さらに、回転バルブの周面と接するカッター部材の一端部を、入口ポートの中心方向に向かってテーパー形状に形成して当接面が増加する構成（カッター部材の一端部が、正のすくい角を有する構成）とすると、回転バルブの回転時に、食品をスムースにテーパー面に沿って上昇させ、食品が回転バルブ外周面とバルブチャンバー内周面との間にかみ込まれる可能性を低減しうる点で好ましい。また、回転バルブの周面と強制的に当接させるカッター部材の付勢手段としては、スプリング、弾性硬質ゴム等を例示することができるが、強い付勢力が得られる点で、スプリングが好ましい。なお、中空筒状のカッター部材は、バルブチャンバーの入口ポートに加えて、出口ポートにも装着することができる。さらに、連通ポートや押し出しポートにも中空筒状のカッター部材を装着することができる。
【００１７】
上記ほぐし手段としては、回転羽根と該回転羽根を回転させるモータ等の駆動機構を備え、定量手段から排出され落下してくる食品を、ほぐし手段の回転する回転羽根によりほぐし、食品をふんわりと充填しうるように構成されている手段であれば特に制限されないが、上記の回転型定量バルブの出口に連接される筒状の飛散防止フードを有し、飛散防止フード内に水平に軸支された回転軸を有する回転羽根が配設され、回転羽根下方のフード出口にシャッターを有するものが好ましい。回転羽根の回転軸は垂直又は斜め傾斜に軸支してもよいが、水平に軸支するとほぐし効果を高めることができる。また、回転羽根の羽根としては、回転軸から立設角度及び立設位置を異にして放射状に突出した複数個の直方体状突出片を有するものが好ましい。回転羽根の回転数は、ほぐし対象となる食品の種類や羽根の形状にもよるが、通常３０００〜４０００ｒｐｍ、好ましくは３２００〜３８００ｒｐｍで回転させると、短時間に食品が硬くしまった状態からふんわりとした状態へ変化させることができる。
【００１８】
ほぐし手段の下方には、容器搬送用コンベアと、コンベア間欠駆動機構とを有する容器搬送手段を配設することが好ましい。一定量の食品が定量手段から排出され、落下途中でほぐし手段によりほぐされた食品は、ほぐし手段直下の容器搬送用コンベア上の容器に定量充填されるが、前記のように飛散防止フード下端にシャッターを設けておくと、容器の搬送中に食品が落下するのを防止することができる。容器の搬送ピッチとしては、４〜１０秒、好ましくは４〜６秒とすることが生産性を高める点で好ましい。
【００１９】
さらに、回転バルブとして複数、例えば回転バルブの軸方向に５個のシリンダ室（充填物通路）を備えた円筒状のロータリー（円柱形）バルブを有する回転型定量バルブを用いるなど、食品導入手段、定量手段、ほぐし手段、容器搬送手段を多列構成し、生産性を上げることもできる。
【００２０】
本発明の定量ソフト充填方法は、上記の本発明の定量ソフト充填装置を用いる方法で、回転羽根の回転数を３０００〜４０００ｒｐｍとすることにより、定量手段により圧縮された体積を、１．５〜３倍、好ましくは１．７〜２．５倍、より好ましくは２倍にすることができ、容器内にふっくらと充填することができる。
【００２１】
以下、実施例により本発明をより具体的に説明するが、本発明の技術的範囲はこれらの例示に限定されるものではない。
【実施例１】
【００２２】
本発明の実施の形態を、図１〜図４を参照して説明する。図１は本発明の一実施態様に係る定量ソフト充填装置の側面視縦断面図であり、図２は図１のＡ−Ａ断面図であり、図３は定量ソフト充填装置の動作説明図であり、図４は本発明の定量ソフト充填装置が搭載される充填包装機械５０の全体図である。
【００２３】
定量ソフト充填装置１は、食品導入手段１０、定量手段２０、ほぐし手段３０、及び容器搬送手段４０を備えており、食品導入手段１０は、卯の花が収容されているホッパー１１、ホッパー１１の底部から定量手段（回転型定量バルブ）２０の入口まで水平に延設され、卯の花を圧送するためのスクリューコンベア１２が内設されている搬送パイプ１３を備えている。ホッパー１１下部には、スクリューコンベア１２の上方で、スクリューコンベア１２の軸と平行な軸を中心に回転する押し込み羽根１４が設けられ、この羽根１４によってホッパー１１内の卯の花がスクリューコンベア１２内へ押し込まれる。
【００２４】
上記定量手段（回転型定量バルブ）２０は、円柱形状のバルブチャンバーを構成するステンレス製のケーシング２１を収容するハウジング２２と、径方向に貫通するシリンダ室２３を有し、バルブチャンバーの内周に沿って回転可能にケーシング２１内に配置された円柱状のロータリーバルブ２４と、ハウジング２２に取り付けられ回転駆動軸２８を介してロータリーバルブ２４に駆動連結された空気圧式のロータリーアクチュエータ２９と、ハウジング２２に内設された排出シリンダ２５内に待機し、ロータリーバルブ２４のシリンダ室２３内をシリンダ軸方向に進退自在に上下往復動して、シリンダ室２３内の卯の花を排出する排出ピストン２６が備えられている。
【００２５】
ケーシング２１の側周面にはバルブチャンバーの入口ポート２１ａ、入口ポート２１ａと軸方向反対側側周面には空気排出孔２１ｂ、ケーシング２１の上部側周面にはバルブチャンバーの押し出しポート２１ｃ、押し出しポート２１ｃと軸方向反対側のケーシング２１の下部側周面にはバルブチャンバーの出口ポート２１ｄが設けられ、入口ポート２１ａは搬送パイプ１３の吐出口に連通状態で連結され、空気排出孔２１ｂはハウジング２２外に連通し、押し出しポート２１ｃはハウジング２２内上方に形成された排出シリンダ２５と連通し、出口ポート２１ｄはほぐし手段３０の飛散防止フード３１内に開放されている。
【００２６】
ロータリーバルブ２４の上記シリンダ室２３内には、シリンダ軸方向に往復動自在とされたシャトル型のコマ２７があり、コマ２７の両端面はロータリーバルブ２４の外周面形状に合わせた曲面とされており、コマ２７のシリンダ室内における相対回転を阻止するため、シリンダ室内面に固定され該シリンダ室内面をシリンダ軸方向に沿って一部平面状とする平キーと、該平キーに対応してコマ外周面を一部平面状に切り欠いた切り欠き部とで構成する回転規制機構が設けられ、また、シリンダ室両端のケーシング２１側に、コマ２７がシリンダ室外に移動することを阻止するストッパーが設けられている。
【００２７】
上記ほぐし手段３０は、バルブチャンバーの出口ポート２１ｄを包囲するように下方に延設された角筒状の飛散防止フード３１、飛散防止フード３１の下部に水平に軸支された回転軸３２ａを有する回転羽根３２、回転羽根を回転させるモータ３４、回転羽根３２の下方で、飛散防止フード３１の下端出口に設けられたシャッター３３から構成されている。回転羽根３２の羽根３２ｂは、回転軸３２ａから互いに１８０度間隔となるように回転半径方向に突出した３個の直方体状突出片として回転軸３２ａに固着されている。
【００２８】
上記容器搬送手段４０は、容器Ｐを載置することができ、上記ほぐし手段３０の下方に設けられた容器搬送用コンベア４１と、コンベア間欠駆動機構（図示せず）とを有する。ほぐし手段３０に位置する容器Ｐに卯の花をふんわりと定量充填する動作を以下説明する。
【００２９】
ホッパー１１に投入された卯の花は、ホッパー１１の底部から水平に延設されたスクリューコンベア１２により、搬送パイプ１３を経由して定量手段２０のバルブチャンバーの入口ポート２１ａまで圧送され、入口ポート２１ａと連通状態に位置するロータリーバルブ２４のシリンダ室２３の入口ポート２１ａ側端部に位置するコマ２７を反対側端部まで押しながら、２秒間でシリンダ室２３内に５０ｇの卯の花が緻密に定量充填される。その際、コマ２７背面側の空気は空気排出孔２１ｂからハウジング２２外に排出される（図３（ａ）〜図３（ｂ）参照）。シリンダ室２３に一定量（５０ｇ）の卯の花が収容されると、コマ２７はスイッチ５１をオン操作する。このオン操作によりロータリーアクチュエータ２９が駆動されてロータリーバルブ２４が時計回りに０．６秒で９０度回転し、シリンダ室２３の一端（コマ２７がある方）が押し出しポート２１ｃに位置し、シリンダ室２３の他端が出口ポート２１ｄに位置する（図３（ｂ）〜図３（ｃ）参照）。次いで、ハウジング２２に内設された排出シリンダ２５内に待機していた排出ピストン２６が下降し、シリンダ室２３内のコマ２７を押し下げ１秒間でシリンダ室２３内の５０ｇの卯の花を出口ポート２１ｄから、飛散防止フード３１内に排出する（図３（ｃ）〜図３（ｄ）参照）。排出ピストン２６は０．６秒で初発の待機位置まで上昇復帰した後、ロータリーアクチュエータにより駆動されてロータリーバルブ２４が反時計回りに０．６秒で９０度回転し、シリンダ室２３の一端（コマ２７がある方）が入口ポート２１ａに位置し、シリンダ室２３の他端が空気排出孔２１ｂに位置する（図３（ｄ）〜図３（ａ）参照）。これで一回の充填動作が終了する。この状態で再びスクリューコンベア１２が２秒間駆動し、シリンダ室２３内に５０ｇの卯の花が緻密に定量充填される。以後、この動作が繰り返される。
【００３０】
飛散防止フード３１内に排出された卯の花は落下途中で回転速度３６００ｒｐｍで回転する回転羽根３２に衝突粉砕されてほぐされ、容器搬送用コンベア４１上の容器Ｐに、硬い緻密な状態からほぐされて、体積が２倍となったふんわりした状態で定量充填される。定量充填が終了すると、飛散防止フード３１の下端出口に設けられたシャッター３３が２秒間閉鎖し、その間に容器搬送用コンベア４１が１ピッチ進む。このようにして、定量ソフト充填装置一台あたり７５０パック／時間のふんわりとした卯の花製品を得ることができた。
【００３１】
図４は、本発明の定量ソフト充填装置１が搭載される充填包装機械の全体図である。充填包装機械５０は、卯の花が充填される容器Ｐを充填包装機械５０に供給する容器供給装置２と、供給された容器内に負圧を作用させて清掃する容器清掃装置３と、卯の花が充填された容器Ｐの開口部にフィルム状の蓋材を供給する蓋材供給装置４と、容器Ｐに蓋材をシールする密封装置５と、容器Ｐにシールされたフィルム状蓋材を容器Ｐ毎に打ち抜き切断する切断装置６と、卯の花が充填され密封された製品容器Ｐを排出する製品排出装置７とを備えている。本発明の定量ソフト充填装置１は、容器清掃装置３と蓋材供給装置４の間に配設され、容器清掃装置３で清掃された容器Ｐ内に、卯の花を充填できるようになっている。上記一連の装置へ、容器搬送用コンベア４１が容器Ｐを順次搬送するようになっている。容器搬送用コンベア４１は、搬送方向に直行する方向に複数個の容器Ｐを保持して複数列で容器Ｐを搬送することもできる。容器搬送用コンベア４１が容器Ｐを複数列で搬送する場合、定量ソフト充填装置１は、図２の左右方向に食品導入手段１０、定量手段２０、及びほぐし手段３０を併設すれば良い。この場合、ロータリーバルブ２４や回転羽根３２は、それぞれ同一の回転軸上に設け、その駆動手段であるロータリーアクチュエータ２９や、モーター３４を単一化することもできる。
【実施例２】
【００３２】
実施例１の卯の花に代えて、にんじん、干ししいたけ、こんにゃくの各細切りの煮物が配合された白和えを同様に用いて定量充填した。この場合も、体積が２倍となったふんわりとした食感を呈する６０ｇの白和え製品を、定量ソフト充填装置一台あたり７５０パック／時間の高生産性で得ることができた。
【図面の簡単な説明】
【００３３】
【図１】本発明の一実施態様に係る定量ソフト充填装置の側面視縦断面図である。
【図２】図１のＡ−Ａ断面図である。
【図３】定量ソフト充填装置の動作説明図である。
【図４】本発明の定量ソフト充填装置が搭載される充填包装機械の全体図である。
【符号の説明】
【００３４】
１     定量ソフト充填装置
２     容器供給装置
３     容器清掃装置
４     蓋材供給装置
５     密封装置
６     切断装置
７     製品排出装置
１０   食品導入手段
１１   ホッパー
１２   スクリューコンベア
１３   搬送パイプ
１４   押し込み羽根
２０   定量手段
２１   ケーシング
２１ａ 入口ポート
２１ｂ 空気排出口
２１ｃ 押し出しポート
２１ｄ 出口ポート
２２   ハウジング
２３   シリンダ室
２４   ロータリーバルブ
２５   排出シリンダ
２６   排出ピストン
２７   コマ
２８   回転駆動軸
２９   ロータリーアクチュエータ
３０   ほぐし手段
３１   飛散防止フード
３２   回転羽根
３２ａ 回転軸
３２ｂ 羽根
３３   シャッター
３４   モーター
４０   容器搬送手段
４１   容器搬送用コンベア
５０   充填包装機械
５１   スイッチ
Ｐ     容器
【図１】
0004780759.tif 000002
【図２】
0004780759.tif 000003
【図３】
0004780759.tif 000004
【図４】
0004780759.tif 000005